(57)【特許請求の範囲】
【請求項１】
吐出ノズルが副走査方向に等間隔で配列されたノズル列が、前記副走査方向に１／Ｎピッチずつ位置ずれしてＮ列配列された液滴吐出ヘッドを、印刷媒体に対し主走査方向に相対移動しながら印刷を行う印刷部と、
前記Ｎ列のノズル列のうち、１回あたり１のノズル列を検査対象ノズル列として吐出の有無を検査する吐出検査を行う吐出検査部と、
前記印刷部および前記吐出検査部を制御する制御部と、を備え、
前記制御部は、所定量の印刷を終了するごとに、前記検査対象ノズル列を切り替えて前記吐出検査部に吐出検査を行わせることを特徴とする液滴吐出装置。
【請求項２】
前記液滴吐出ヘッドは、前記Ｎ列のノズル列から成るノズル列群を液滴の種類ごとに有し、
各ノズル列群の位置ずれ量にしたがって並ぶ１番目からＮ番目までのノズル列の基準位置は、前記液滴の種類によらずいずれも前記副走査方向において同位置であり、
前記吐出検査部は、１回の前記吐出検査において、前記液滴の種類ごとに異なる列番号の前記ノズル列を検査対象ノズル列とすることを特徴とする請求項１に記載の液滴吐出装置。
【請求項３】
所定回数の前記吐出検査において、所定数を超える吐出ノズルに対して吐出「無」と判定された場合、前記印刷部に対してクリーニングを行うクリーニング部をさらに備えたことを特徴とする請求項１または２に記載の液滴吐出装置。
【請求項４】
前記印刷部は、前記クリーニングの実行後に、直前に実行した印刷を再度実行することを特徴とする請求項３に記載の液滴吐出装置。
【請求項５】
前記吐出検査部は、
前記印刷部に前記吐出ノズルから帯電液滴を吐出させる吐出駆動部と、
吐出された前記帯電液滴を着弾させる吐出対象と、
前記帯電液滴の着弾により前記吐出対象に発生する電流の変化を検出する検出部と、を備え、
前記電流の変化によって前記吐出ノズルの吐出の有無を検査することを特徴とする請求項１ないし４のいずれか１項に記載の液滴吐出装置。
【請求項６】
吐出ノズルが副走査方向に等間隔で配列されたノズル列が、前記副走査方向に１／Ｎピッチずつ位置ずれしてＮ列配列された液滴吐出ヘッドを、印刷媒体に対し主走査方向に相対移動しながら印刷を行う印刷部と、前記Ｎ列のノズル列のうち、１回あたり１のノズル列を検査対象ノズル列として吐出の有無を検査する吐出検査を行う吐出検査部と、を用い、
所定量の印刷を終了するごとに、前記検査対象ノズル列を切り替えて前記吐出検査を行うことを特徴とする吐出検査方法。
【請求項７】
前記液滴吐出ヘッドは、前記Ｎ列のノズル列から成るノズル列群を液滴の種類ごとに有し、
各ノズル列群の位置ずれ量にしたがって並ぶ１番目からＮ番目までのノズル列の基準位置は、前記液滴の種類によらずいずれも前記副走査方向において同位置であり、
前記吐出検査部は、１回の前記吐出検査において、前記液滴の種類ごとに異なる列番号の前記ノズル列を検査対象ノズル列とすることを特徴とする請求項６に記載の吐出検査方法。
【請求項８】
所定回数の前記吐出検査において、所定数を超える吐出ノズルに対して吐出「無」と判定された場合、前記印刷部に対してクリーニングを行うことを特徴とする請求項６または７に記載の吐出検査方法。
【請求項９】
前記吐出検査部は、
前記印刷部に前記吐出ノズルから吐出対象に対して帯電液滴を吐出させる吐出駆動ステップと、
前記帯電液滴の着弾により前記吐出対象に発生する電流の変化を検出する検出ステップと、を実行し、
前記電流の変化によって前記吐出ノズルの吐出の有無を検査することを特徴とする請求項６ないし８のいずれか１項に記載の吐出検査方法。
【発明の詳細な説明】
【技術分野】
【０００１】
本発明は、複数の吐出ノズルについて吐出の有無を検査する機能を備えた液滴吐出装置および吐出検査方法に関するものである。
【背景技術】
【０００２】
この種の技術として、印刷に先立って、吐出ノズルから正常に液滴が吐出されるか否かを検査する吐出検査を行う印刷装置が知られている（例えば、特許文献１参照）。特許文献１に記載の印刷装置は、吐出検査において、印字ヘッドのノズル形成面に形成されているすべての吐出ノズルについて吐出の有無を検査し、一部の吐出ノズルが吐出不良であった場合、当該吐出ノズルが実行すべき吐出を、吐出が正常である他の吐出ノズルにより代行する。このようにして印刷を実行し、当該印刷が終了した後に、吐出ノズルからのインクの吸引やノズル形成面のワイピングによるクリーニングを行う。これにより、印刷実行前に吐出不良を発見しても、処理に時間を要するクリーニングを実行せずとも不具合なく印刷を行うことができるため、印刷終了を遅らせることがない。
【先行技術文献】
【特許文献】
【０００３】
【特許文献１】特開２００８−１９５０３７号公報
【発明の概要】
【発明が解決しようとする課題】
【０００４】
しかし、上記のような印刷装置は、１回の吐出検査において、印字ヘッドが有するすべての吐出ノズルについて吐出の有無を検査するため、処理に時間がかかるという問題がある。そこで、処理時間を短縮するために、１回の吐出検査において一部の吐出ノズルを検査対象として吐出検査を行うことが考えられるが、当該吐出検査において検査対象ではなかった吐出ノズルに吐出不良がった場合、吐出不良のまま次の印刷を行うことによって印刷不良を発生させるという問題がある。
【０００５】
本発明は、上記の点に鑑み、印刷不良を最低限に抑えつつも、１回の吐出検査の時間を短縮させることのできる液滴吐出装置および吐出検査方法を提供することを課題とする。
【課題を解決するための手段】
【０００６】
本発明の液滴吐出装置は、吐出ノズルが副走査方向に等間隔で配列されたノズル列が、副走査方向に１／Ｎピッチずつ位置ずれしてＮ列配列された液滴吐出ヘッドを、印刷媒体に対し主走査方向に相対移動しながら印刷を行う印刷部と、Ｎ列のノズル列のうち、１回あたり１のノズル列を検査対象ノズル列として吐出の有無を検査する吐出検査を行う吐出検査部と、印刷部および吐出検査部を制御する制御部と、を備え、制御部は、所定量の印刷を終了するごとに、検査対象ノズル列を切り替えて吐出検査部に吐出検査を行わせることを特徴とする。
本発明の液滴吐出装置において、液滴吐出ヘッドは、Ｎ列のノズル列から成るノズル列群を液滴の種類ごとに有し、各ノズル列群の位置ずれ量にしたがって並ぶ１番目からＮ番目までのノズル列の基準位置は、液滴の種類によらずいずれも副走査方向において同位置であり、吐出検査部は、１回の吐出検査において、液滴の種類ごとに異なる列番号のノズル列を検査対象ノズル列とすることが好ましい。
本発明の液滴吐出装置において、所定回数の吐出検査において、所定数を超える吐出ノズルに対して吐出「無」と判定された場合、印刷部に対してクリーニングを行うクリーニング部をさらに備えたことが好ましい。
本発明の液滴吐出装置において、印刷部は、クリーニングの実行後に、直前に実行した印刷を再度実行することが好ましい。
本発明の液滴吐出装置において、吐出検査部は、印刷部に吐出ノズルから帯電液滴を吐出させる吐出駆動部と、吐出された帯電液滴を着弾させる吐出対象と、帯電液滴の着弾により吐出対象に発生する電流の変化を検出する検出部と、を備え、電流の変化によって吐出ノズルの吐出の有無を検査することが好ましい。
本発明の吐出検査方法は、吐出ノズルが副走査方向に等間隔で配列されたノズル列が、副走査方向に１／Ｎピッチずつ位置ずれしてＮ列配列された液滴吐出ヘッドを、印刷媒体に対し主走査方向に相対移動しながら印刷を行う印刷部と、Ｎ列のノズル列のうち、１回あたり１のノズル列を検査対象ノズル列として吐出の有無を検査する吐出検査を行う吐出検査部と、を用い、所定量の印刷を終了するごとに、検査対象ノズル列を切り替えて吐出検査を行うことを特徴とする。
本発明の吐出検査方法において、液滴吐出ヘッドは、Ｎ列のノズル列から成るノズル列群を液滴の種類ごとに有し、各ノズル列群の位置ずれ量にしたがって並ぶ１番目からＮ番目までのノズル列の基準位置は、液滴の種類によらずいずれも副走査方向において同位置であり、吐出検査部は、１回の吐出検査において、液滴の種類ごとに異なる列番号のノズル列を検査対象ノズル列とすることが好ましい。
本発明の吐出検査方法において、所定回数の吐出検査において、所定数を超える吐出ノズルに対して吐出「無」と判定された場合、印刷部に対してクリーニングを行うことが好ましい。
本発明の吐出検査方法において、吐出検査部は、印刷部に吐出ノズルから吐出対象に対して帯電液滴を吐出させる吐出駆動ステップと、帯電液滴の着弾により吐出対象に発生する電流の変化を検出する検出ステップと、を実行し、電流の変化によって吐出ノズルの吐出の有無を検査することが好ましい。
なお、以下の構成としても良い。
本発明の液滴吐出装置は、印刷媒体に対し主走査方向に相対移動しながら複数の吐出ノズルから液滴を吐出して印刷を行う印刷部と、複数の吐出ノズルを、副走査方向において最小印刷幅を形成するために必要なノズル数ごとに分割した分割ノズル群のうち、一部の吐出ノズルを検査対象ノズルとして吐出の有無を検査する吐出検査を行う吐出検査部と、印刷部および吐出検査部を制御する制御部と、を備え、制御部は、所定量の印刷を終了するごとに、ノズル群内で検査対象ノズルを切り替えて前記吐出検査を行うことを特徴とする。
【０００７】
本発明の吐出検査方法は、印刷媒体に対し主走査方向に相対移動しながら複数の吐出ノズルから液滴を吐出して印刷を行う印刷部と、複数の吐出ノズルを、副走査方向において最小印刷幅を形成するために必要なノズル数ごとに分割した分割ノズル群のうち、一部の吐出ノズルを検査対象ノズルとして吐出の有無を検査する吐出検査を行う吐出検査部と、を用い、所定量の印刷を終了するごとに、ノズル群内で検査対象ノズルを切り替えて吐出検査を行うことを特徴とする。
【０００８】
これらの構成によれば、１回の吐出検査において、印刷部が有する吐出ノズルのうち一部の吐出ノズルについて吐出の有無を検査するため、吐出検査に要する時間を短縮することができる。また、吐出検査ごとに上記したノズル群の中で検査対象となるノズルを切り替えることにより、毎回の吐出検査において少なくとも最小印刷幅を構成するノズル群のうちのいずれかの吐出ノズルについて吐出の有無を検査するため、吐出「有」と判定されれば少なくとも検査対象である吐出ノズルによって印刷が行われ、印刷不良（印字抜け）を防ぐことができる。
なお、「最小印刷幅」とは、印刷部が印刷可能な最小の線幅を指す。
【０００９】
この場合、複数の吐出ノズルは、各吐出ノズルが副走査方向に等間隔で配列されたノズル列が、副走査方向に１／Ｎピッチずつ位置ずれしてＮ列配列されたノズル列群を有し、分割ノズル群は、少なくとも異なるノズル列に属する２以上の吐出ノズルから構成されており、吐出検査部は、ノズル列ごとに検査対象ノズルを切り替えて前記吐出検査を行うことが好ましい。
【００１０】
この構成によれば、ノズル列ごとに検査対象となる吐出ノズルを切り替えることによって、吐出検査における印刷部の駆動制御を簡単にすることができる。
【００１１】
この場合、ノズル列群は、液滴の種類ごとに用意され、各ノズル列群の位置ずれ量にしたがって並ぶ１番目からＮ番目までのノズル列の基準位置は、液滴の種類によらずいずれも前記副走査方向において同位置であり、吐出検査部は、１回の吐出検査において、液滴の種類ごとに副走査方向において異なる列番号のノズル列を検査対象ノズルとすることが好ましい。
【００１２】
この構成によれば、印刷部が主走査方向に移動することによって、主走査方向に配列された異なるノズル群の吐出ノズルが、時間差で同じ吐出位置に異なる液滴を吐出することで所望の印刷（例えば所望の色）を可能にしている場合、毎回の吐出検査において少なくとも当該吐出位置に吐出する吐出ノズルのうちのいずれかについて吐出の有無を検査するため、吐出「有」と判定されれば少なくとも検査対象である吐出ノズルによって印刷が行われ、当該吐出位置におけるドット抜けを防ぐことができる。
【００１３】
この場合、所定回数の吐出検査において、所定数を超える吐出ノズルに対して吐出「無」と判定された場合、印刷部に対してクリーニングを行うクリーニング部をさらに備えたことが好ましい。
【００１４】
この構成によれば、実際に吐出不良がある場合にのみクリーニングを実施するため、印刷処理におけるメンテナンス処理に要する時間を短縮することができる。
【００１５】
この場合、印刷部は、クリーニングの実行後に、直前に実行した印刷を再度実行することが好ましい。
【００１６】
この構成によれば、印刷不良が発生した印刷について自動的に再印刷が行われるため、利便性が良い。
【００１７】
上記の液滴吐出装置において、吐出検査部は、印刷部に吐出ノズルから帯電液滴を吐出させる吐出駆動部と、吐出された帯電液滴を着弾させる吐出対象と、帯電液滴の着弾により吐出対象に発生する電流の変化を検出する検出部と、を備え、電流の変化によって吐出ノズルの吐出の有無を検査することが好ましい。
【００１８】
この構成によれば、吐出検査において消費する液滴の量が微量であるため、印刷以外のメンテナンスに要する液滴の消費量を抑えることができる。
【図面の簡単な説明】
【００１９】
【図１】本発明の一実施形態にかかる液滴吐出装置の外観斜視図である。
【図２】液滴吐出ヘッドの外観側面図である。
【図３】液滴吐出ヘッドをインク導入部側からの平面図（ａ）、およびノズル面側からの平面図（ｂ）である。
【図４】ノズル面における吐出ノズルの配置を示した模式図（ａ）、および各ノズル列が吐出するインクの種類を示した図（ｂ）である。
【図５】ヘッドキャップの断面図である。
【図６】単位印刷データについて示した図である。
【図７】検査対象となるノズル列の切り替えパターンを示した図である。
【図８】印刷処理のスケジュールを示した図である。
【図９】印刷処理を示したフローチャートである。
【発明を実施するための形態】
【００２０】
以下、添付の図面を参照し、本発明の一実施形態にかかる液滴吐出装置および吐出検査方法について説明する。本発明の液滴吐出装置は、本実施形態の液滴吐出装置は、印刷媒体であるロール紙に対して複数種類のカラーインク（液滴）を吐出してカラー印刷を行う印刷装置であり、所定量の印刷が終了するごとに、液滴吐出ヘッドの吐出検査を行う。以下、液滴吐出装置にセットされたロール紙の幅方向を主走査方向とし、ロール紙の長手方向を副走査方向として、説明を進める。
【００２１】
図１に示すように、本実施形態の液滴吐出装置１は、ロール紙２を収容するロール紙収容部３と、複数種類のインクをロール紙２に吐出する液滴吐出ヘッド４（印刷部）を搭載したキャリッジ５と、キャリッジ５を主走査方向に移動させるキャリッジ移動機構６と、ロール紙２の端を副走査方向に引き出すロール紙搬送機構７と、液滴吐出ヘッド４に対してカラーインクを供給するインク供給機構８と、液滴吐出ヘッド４のメンテナンスを行うメンテナンス機構９と、これらの各構成部を統括的に制御する制御部（図示省略）と、備え、全体が不図示のケースに覆われている。また、液滴吐出装置１は、ロール紙２をロール紙収容部３から着脱するためのロール紙カバー（図示省略）や、インク供給機構８のインクカートリッジ１０を着脱するためのカートリッジカバー１１を備えている。
【００２２】
キャリッジ移動機構６は、キャリッジ５を主走査方向に移動可能に支持するガイド軸１２と、ガイド軸１２に併設された環状ベルト１３と、環状ベルト１３を回転させるキャリッジモーター１４と、を有している。キャリッジ移動機構６は、キャリッジモーター１４の駆動によって環状ベルト１３を回転させ、ガイド軸１２にしたがってキャリッジ５を主走査方向に移動させる。
【００２３】
ロール紙搬送機構７は、ロール紙２上でキャリッジ５と対面するプラテン１５と、上方を通過するロール紙２の端を副走査方向に繰り出す搬送ローラー１６と、を有している。プラテン１５は、キャリッジ５に搭載された液滴吐出ヘッド４にロール紙２を押し当て、搬送ローラー１６は、印刷済みのロール紙２をキャリッジ側に押し当てた状態で繰り出して排出する。
【００２４】
インク供給機構８は、インクカートリッジ装着部１７に装着されたインクカートリッジ１０と、インクカートリッジ１０に収容された各カラーインクに対応したインクパックから液滴吐出ヘッド４にカラーインクを供給するためのインク流路１８およびインク供給チューブ１９と、を有している。本実施形態では、シアン（Ｃ）、マゼンダ（Ｍ）、およびイエロー（Ｙ）の３色のカラーインクに対応したインクパックおよびインク供給チューブ１９を備えている。
【００２５】
メンテナンス機構９は、ロール紙２上から主走査方向に外れた位置でキャリッジ５と対面し、液滴吐出ヘッド４のノズル面２０を封止するヘッドキャップ２１（図５参照）、インク吸引機構、およびワイピング機構（いずれも不図示）を有している。ヘッドキャップ２１には、インク吸引機構のチューブの一端が接続され、インク吸引機構のポンプモーターが駆動されることによってヘッドキャップ２１内が減圧され、ノズル面２０に形成された吐出ノズルＮからカラーインクを吸引する。ワイピング機構は、ノズル面２０の汚れをゴム製のワイパによって払拭する。メンテナンス機構９は、このようなインク吸引機構によるインク吸引処理およびワイピング機構によるワイピング処理を行うことによって液滴吐出ヘッド４のクリーニング処理を実施する。なお、メンテナンス機構９は、液滴吐出ヘッド４の吐出検査を行った後（後述する）、当該吐出検査によって吐出不良と判定された場合において、クリーニング処理を行う。
【００２６】
なお、キャリッジ５がロール紙２に対面する位置を印刷位置Ｐ１とし、キャリッジ５がメンテナンス機構９に対面する位置をメンテナンス位置Ｐ２とする。液滴吐出装置１は、キャリッジ５を印刷位置Ｐ１に移動させて印刷を行い、キャリッジ５をメンテナンス位置Ｐ２に移動させて液滴吐出ヘッド４のメンテナンスを行う。
【００２７】
図２および図３に示すように、液滴吐出ヘッド４は、いわゆる６連のインクジェットヘッドであり、６連の接続針２２を有するインク導入部２３と、インク導入部２３に連なるヘッド基板２４と、ヘッド基板２４に連なりインクを吐出するヘッド本体２５と、を備えている。インク導入部２３は、６列のノズル列ＮＬＡ，ＮＬＢ，・・・，ＮＬＦに対応した６連の接続針２２Ａ，２２Ｂ，・・・，２２Ｆを有しており、インク供給機構８からインクが供給されるようになっている。なお、各接続針２２とノズル列ＮＬとの対応は、図３に示すとおりである。また、ヘッド本体２５は、ピエゾ素子等で構成される６連のポンプ部２６と、複数の吐出ノズルＮが形成されたノズル面２０を有するノズルプレート２７と、を有している。液滴吐出装置１は、制御装置から出力した駆動波形が各ポンプ部２６に印加することで、各吐出ノズルＮからカラーインクを吐出する。
【００２８】
図４は、ノズルプレート２７のノズル面２０に形成された吐出ノズルＮの配置を示した模式図である。なお、本図は、図３におけるノズルプレート２７を上下に回転させた状態を示している。図示のように、ノズルプレート２７のノズル面２０に形成された多数の吐出ノズルＮは、６列のノズル列ＮＬＡ，ＮＬＢ，・・・，ＮＬＦを有しており、各ノズル列ＮＬは、副走査方向に等ピッチ（ノズルピッチ）で並べられた９０個の吐出ノズルＮ１，・・・，Ｎ９０で構成されている。各ノズル列ＮＬは、ノズル列ＮＬＡ，ＮＬＣ，ＮＬＥの３列が基準位置１に配置され、ノズル列ＮＬＢ，ＮＬＤ，ＮＬＦの３列が基準位置１に対して半ノズルピッチ副走査方向に位置ズレした基準位置２に配置されて構成されている。すなわち、各ノズル列ＮＬは、相互に平行且つ半ノズルピッチ位置ズレして列設されている。
【００２９】
図４（ｂ）は、各ノズル列ＮＬが吐出するカラーインクの種類を示している。図示のように、ノズル列ＮＬＡ，ＮＬＦはシアン（Ｃ）、ノズル列ＮＬＢ，ＮＬＥはマゼンダ（Ｍ）、ノズル列ＮＬＣ，ＮＬＤはイエロー（Ｙ）、を吐出する。すなわち、基準位置の異なる２列のノズル列ＮＬによって、各種カラーインクが吐出される。なお、請求項における「ノズル列群」とは、同種のカラーインクを吐出するノズル列ＮＬＡ，ＮＬＦ、ノズル列ＮＬＢ，ＮＬＥ、およびノズル列ＮＬＣ，ＮＬＤを指す。
【００３０】
液滴吐出ヘッド４は、主走査方向に移動しながら、各ノズル列ＮＬにおいてロール紙搬送方向下流側から数えて同番目の吐出ノズルＮで構成される６つの吐出ノズルＮ（分割ノズル群）からのインクの吐出により、副走査方向における最小印字幅（最小印刷幅）を印刷する。最小印字幅とは、液滴吐出装置１が印刷可能な最小の線幅である。例えば、図４（ａ）に示すように、６つの吐出ノズルＮ１Ａ，Ｎ１Ｂ，Ｎ１Ｃ，Ｎ１Ｄ，Ｎ１Ｅ，Ｎ１Ｆによって、印刷領域における最も下流位置の最小印字幅を印刷する。すなわち、液滴吐出ヘッド４は、半ノズルピッチの間隔を有する複数の吐出ノズルによって最小印字幅を印刷する構成となっている。また、液滴吐出ヘッド４は、主走査方向に移動しながら、基準位置が同位置である各ノズル列ＮＬの同ノズル番号の吐出ノズルＮが、同じ位置に異なるカラーインクを吐出してカラー印刷を実現している。
【００３１】
図５は、メンテナンス機構９のヘッドキャップ２１の断面図である。図示のように、ヘッドキャップ２１は、ノズル面２０に密着可能なゴム等の弾性材からなるリップ部２８と、液滴吐出ヘッド４のノズル面２０を封止可能な大きさの開口を有する箱型のキャップ本体２９と、キャップ本体２９の凹部３０に収納され廃インクを吸収する多層構造の吸収材３１と、キャップ本体２９の凹部３０に立設され吸収材３１と導通可能な金属軸３２と、金属軸３２の下端に接続されたリード線３３とを有している。吸収材３１は、リップ部２８と離間するよう押さえて配置されている。
【００３２】
メンテナンス機構９は、全印刷データを所定量ごとに分割した単位印刷データに基づく印刷（単位印刷）が終了するごとに、液滴吐出ヘッド４の吐出ノズルＮのインクの吐出の有無を検査する。この吐出検査では、先ず、液滴吐出ヘッド４のノズル面２０に対してヘッドキャップ２１が位置決めされた状態で対面し、この状態で複数の吐出ノズルＮから帯電したインクを制御部からの駆動波形によって選択的に吐出させる（吐出駆動部）。そして、吐出された帯電インクが吸収材３１（吐出対象）に着弾して発生する電流の変化を金属軸３２およびリード線３３を介して取り出し（検出部）、制御部により吐出の有無を判断する。なお、吐出検査は、１度に複数の吐出ノズルＮに対して行われ、検査対象となった吐出ノズルＮのうち、吐出「無」と判定された吐出ノズルＮが所定数を越えた場合、吐出検査の結果が「吐出不良」と判定され、吐出「無」と判定された吐出ノズルＮが所定数以内であった場合、吐出検査の結果が「吐出良好」と判定される。なお、請求項における「吐出検査部」とは、制御部およびメンテナンス機構９により構成される。
【００３３】
ここで、図６を参照し、本実施形態における印刷データの分割について例示する。同図（ａ）に示す例では、一連の連続する印刷データを印刷するページごと（ロール紙を切断するごと）に分割した印刷データを単位印刷データとする。この場合、各単位印刷データは、それぞれ異なった内容となる。一方、同図（ｂ）に示す例では、所定内容の印刷データを複数繰り返すことにより全印刷データが構成されている。この場合、各単位印刷データは、同内容となる。このように、単位印刷データに基づく印刷（単位印刷）が終了するごとに吐出検査を行うことにより、印字抜けが発生したと推定される印刷済みのロール紙を最小限に抑えることができる。
【００３４】
次に、図７を参照し、上記の吐出検査において検査対象となる吐出ノズルＮについて説明する。液滴吐出装置１は、所定量の印刷ごとに行う吐出検査の所要時間を短縮すべく、制御部によって各吐出検査において検査吐出する吐出ノズルＮをノズル列ＮＬごとに切り替える。すなわち、各吐出検査の検査対象となるノズル列ＮＬを切り替える。
【００３５】
図７には、吐出検査ごとの吐出ノズルＮの切り替えパターンを３つ例示している。同図（ａ）に示すパターン１は、１回目の吐出検査において、基準位置１に配置されたノズル列ＮＬＡ，ＮＬＣ，ＮＬＥの３列を検査対象として吐出検査を行う。そして、２回目の吐出検査において、基準位置２に配置されたノズル列ＮＬＢ，ＮＬＤ，ＮＬＦの３列を検査対象として吐出検査を行う。すなわち、パターン１は、各吐出検査において、基準位置ごとに各カラーインクを吐出する吐出ノズルＮを検査対象としている。これにより、毎回の吐出検査において、少なくとも各最小印字幅を形成する吐出ノズルＮのうち各カラーを吐出するいずれかの吐出ノズルＮについて吐出検査することができる。よって、「吐出不良」と判定された場合にクリーニング処理を実施して直前の単位印刷を再実行することで、各吐出検査においてすべての吐出ノズルＮを検査対象とせずとも印字抜けを防ぐことができる。
【００３６】
図７（ｂ）に示すパターン２は、１回目の吐出検査において、基準位置１に配置され且つシアンのインクを吐出するノズル列ＮＬＡ、イエローのインクを吐出するノズル列ＮＬＣ、および基準位置２に配置され且つマゼンダのインクを吐出するノズル列ＮＬＢを検査対象として吐出検査を行う。そして、２回目の吐出検査において、残りのノズル列ＮＬＤ，ＮＬＥ，ＮＬＦを検査対象として、吐出検査を行う。同図（ｃ）に示すパターン３は、１回目の吐出検査において、基準位置１に配置され且つシアンのインクを吐出するノズル列ＮＬＡおよび基準位置２に配置され且つマゼンダのインクを吐出するノズル列ＮＬＢ、イエローのインクを吐出するノズル列ＮＬＤを検査対象として吐出検査を行う。そして、２回目の吐出検査において、残りのノズル列ＮＬＣ，ＮＬＥ，ＮＬＦを検査対象として、吐出検査を行う。すなわち、パターン２および３は、１回の吐出検査において、シアンおよびマゼンダを吐出する吐出ノズル列ＮＬのうち、異なる基準位置に配置されたノズル列ＮＬを検査対象としている。これにより、主にシアンおよびマゼンダの吐出が影響する黒ドットが、片方の基準位置における各吐出位置においてドット抜けすることを防ぐことができる。
【００３７】
次に、図８を参照し、液滴吐出装置１の吐出検査を含んだ一連の動作について説明する。なお、以下の説明において、１回目の吐出検査の対象となる複数の吐出ノズルＮを「検査対象１」、２回目の吐出検査の対象となる複数の吐出ノズルＮを「検査対象２」として図示している。また、図示において、「●」は「吐出良好」を示し、実線矢印は各検査対象が「吐出良好」の状態で印刷（吐出）が行われていることを示す。一方、「○」は「吐出不良」を示し、点線矢印は各検査対象が「吐出不良」の状態で印刷（吐出）が行われていることを示す。なお、各印刷において、検査対象１または検査対象２の一方が「吐出良好」の状態で印刷を行っていれば、当該印刷は良好な印刷結果を得ることができる。一方、検査対象１および検査対象２が「吐出不良」の状態で印刷を行った場合、当該印刷は印字抜けが発生している可能性が高く印刷不良となる。なお、「ＣＮ」はクリーニング処理を示している。
【００３８】
図８（ａ）および（ｂ）は、１回目の吐出検査において「吐出不良」と判定されたケースを示している。液滴吐出装置１は、１回目の単位印刷（単位印刷１）を行った後、１回目の吐出検査（吐出検査１）を実施し、「吐出不良」という検査結果に基づいてクリーニング処理を行う。その後、単位印刷１の再印刷（再印刷１）を行う。１回目の吐出検査において「吐出不良」と判定された場合であって、仮に、１回目の吐出検査で検査対象となっていない検査対象２がその時点で「吐出不良」であった場合（図（ａ）参照）、単位印刷１において印刷不良が発生している可能性が高いため、クリーニング処理および再印刷１を行うことによって有効な再印刷を行うことができる。
【００３９】
図８（ｃ）および（ｄ）は、１回目の吐出検査において「吐出良好」と判定されたケースを示している。液滴吐出装置１は、単位印刷１を行った後、吐出検査１を実施し、「吐出良好」という検査結果に基づいて、次の単位印刷（単位印刷２）を行う。同図（ｄ）に示すように、１回目の吐出検査で検査対象となっていない検査対象２がその時点で「吐出不良」であっても、「吐出良好」と判定された検査対象１を構成する複数の吐出ノズルＮによって不具合なく印刷が実行されている。さらに、単位印刷２後に実施される吐出検査２において、検査対象２について「吐出不良」という検査結果を得ることができる。さらに、本検査結果に基づいたクリーニング処理および単位印刷２の再印刷（再印刷２）を行うことで、吐出検査２の時点で検査対象１が「吐出不良」であっても、単位印刷２における印刷不良の可能性をカバーすることができる。
【００４０】
次に、図９のフローチャートを参照して、液滴吐出装置１の印刷処理について説明する。液滴吐出装置１は、先ず、最初の単位印刷を実行し（Ｓ０１）、液滴吐出ヘッド４の吐出検査を実施する（Ｓ０２）。検査結果が「吐出不良」であった場合（Ｓ０３：「吐出不良」）、液滴吐出ヘッド４に対してクリーング処理を行う（Ｓ０４）。その後、直前に実行した単位印刷の再印刷を行う（Ｓ０５）。一方、吐出検査の検査結果が「吐出良好」であった場合（Ｓ０３：「吐出良好」）。全印刷データに基づく印刷がすべて終了していれば（Ｓ０６：Ｙｅｓ）、処理を終了する。全印刷データに基づく印刷がすべて終了していなければ（Ｓ０６：Ｎｏ）、次の単位印刷を実行する（Ｓ０７）。そして、前回の吐出検査における検査対象ノズルを切り替え（Ｓ０８）、切り替えた検査対象ノズルに対して吐出検査を行う（Ｓ０２）。以降、Ｓ０２〜Ｓ０８までの処理を繰り返す。
【００４１】
上記した液滴吐出装置１および吐出検査方法によれば、所定量の印刷ごとに最小印字幅を形成する複数の吐出ノズルＮ内で吐出検査の検査対象を切り替えるため、各吐出検査における所要時間を短縮することができると共に、印字抜けを防ぐことができる。よって、全体の印刷処理に要する所要時間を短縮することができる。また、吐出検査において「吐出不良」と判定された場合にのみ液滴吐出ヘッド４のクリーニング処理を行うため、クリーニング処理の実施回数を減らすことができ、印刷以外に消費するインク量を減少させることができる。
【００４２】
なお、本実施形態では、１回の吐出検査において「吐出不良」と判定されるとクリーニング処理を実施する構成としたが、複数回の吐出検査において所定回数「吐出不良」と判定された場合に、クリーニング処理を実施する構成としてもよい。これによれば、印刷不良が発生していないにもかかわらず、不要にクリーニング処理を実施して印刷処理を遅らせることを防ぐことができる。また、不要な再印刷も減らすことができる。
【００４３】
上記した液滴吐出装置１における液滴吐出ヘッド４の数、吐出ノズルＮの数、ノズル列ＮＬの数、インクの種類の数は任意である。また、印刷媒体は上記した連続紙に限られるものでなく、単紙にも適用可能である。
【００４４】
また、上記した、液滴吐出装置１の各構成要素をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００４５】
また、上述した実施例によらず、液滴吐出装置１の装置構成や処理工程等について、本発明の要旨を逸脱しない範囲で、適宜変更も可能である。
【符号の説明】
【００４６】
１：液滴吐出装置  ４：液滴吐出ヘッド  ５：キャリッジ  ６：キャリッジ移動機構  ９：メンテナンス機構  ２０：ノズル面  ２１：ヘッドキャップ  Ｎ：吐出ノズル  ＮＬ：ノズル列
【図１】
0005691716.tif 000002
【図２】
0005691716.tif 000003
【図３】
0005691716.tif 000004
【図４】
0005691716.tif 000005
【図５】
0005691716.tif 000006
【図６】
0005691716.tif 000007
【図７】
0005691716.tif 000008
【図８】
0005691716.tif 000009
【図９】
0005691716.tif 000010